(57)【特許請求の範囲】
【請求項１】
コンテンツと、このコンテンツの代わりに提示する代替提示コンテンツと、前記コンテンツの分割箇所を示す分割メタデータと、この分割メタデータに従って前記コンテンツを分割した構成部分ごとおよび前記代替提示コンテンツに受信側で必要となる提示装置および当該装置の機能並びに受信側の視聴者に必要となる視聴能力を定義した必要リストメタデータと、前記コンテンツの前記構成部分および前記代替提示コンテンツをグループ化するためのグループ化メタデータと、このグループ化メタデータの相関を予め設定した基準に従って付した前記構成部分ごとおよび前記代替提示コンテンツの相関メタデータと、前記コンテンツの経過時間に対応させて付した前記代替提示コンテンツの時間情報とを受信して、前記提示装置に前記コンテンツまたは前記代替提示コンテンツを出力するコンテンツ出力装置であって、
前記コンテンツ、前記代替提示コンテンツ、前記分割メタデータ、前記必要リストメタデータ、前記グループ化メタデータ、前記相関メタデータおよび前記時間情報を受信する受信手段と、
前記コンテンツまたは前記代替提示コンテンツを視聴する視聴者の視聴能力を定義した視聴者プロファイルと、前記コンテンツまたは前記代替提示コンテンツを提示可能な提示装置および当該装置の機能について記述した視聴環境プロファイルとを蓄積するプロファイル蓄積手段と、
前記必要リストメタデータと、前記プロファイル蓄積手段に蓄積されている視聴者プロファイルおよび視聴環境プロファイルとを比較して、前記分割メタデータに従って前記コンテンツが分割された構成部分ごとに、前記視聴者プロファイルおよび前記視聴環境プロファイルが前記必要リストメタデータで記述された条件を満たすか否かを判定する判定手段と、
この判定手段で判定した結果、前記視聴者プロファイルおよび前記視聴環境プロファイルが前記必要リストメタデータで記述された条件を満たさなかった場合に、満たさなかった必要リストメタデータが付加されている構成部分について、前記視聴者プロファイル、前記グループ化メタデータ、前記相関メタデータおよび前記時間情報に基づいて、前記視聴能力を満たすと共に、同一のグループ化メタデータが付加されているまたは所定範囲内の相関メタデータが付加されている前記代替提示コンテンツを導出する導出手段と、
この導出手段で導出された代替提示コンテンツと、前記コンテンツの構成部分とを再構成する再構成手段と、
この再構成手段で再構成された再構成コンテンツを、前記提示装置に出力する出力手段と、
を備えることを特徴とするコンテンツ出力装置。
【請求項２】
コンテンツと、このコンテンツの代わりに提示する代替提示コンテンツと、前記コンテンツの分割箇所を示す分割メタデータと、この分割メタデータに従って前記コンテンツを分割した構成部分ごとおよび前記代替提示コンテンツに受信側で必要となる提示装置および当該装置の機能並びに受信側の視聴者に必要となる視聴能力を定義した必要リストメタデータと、前記コンテンツの前記構成部分および前記代替提示コンテンツをグループ化するためのグループ化メタデータと、このグループ化メタデータの相関を予め設定した基準に従って付した前記構成部分ごとおよび前記代替提示コンテンツの相関メタデータと、前記コンテンツの経過時間に対応させて付した時間情報とを受信して、前記提示装置に前記コンテンツまたは前記代替提示コンテンツを出力するコンテンツ出力装置であって、
前記コンテンツ、前記代替提示コンテンツ、前記分割メタデータ、前記必要リストメタデータ、前記グループ化メタデータ、前記相関メタデータおよび前記時間情報を受信する受信手段と、
前記コンテンツまたは前記代替提示コンテンツを視聴する視聴者の視聴能力を定義した視聴者プロファイルと、前記コンテンツまたは前記代替提示コンテンツを提示可能な提示装置および当該装置の機能並びに変換可能な変換装置について記述した視聴環境プロファイルとを蓄積するプロファイル蓄積手段と、
前記必要リストメタデータと、前記プロファイル蓄積手段に蓄積されている視聴者プロファイルおよび視聴環境プロファイルとを比較して、前記分割メタデータに従って前記コンテンツが分割された構成部分ごとに、前記視聴者プロファイルおよび前記視聴環境プロファイルが前記必要リストメタデータで記述された条件を満たすか否かを判定する判定手段と、
この判定手段で判定した結果、前記視聴者プロファイルおよび前記視聴環境プロファイルが前記必要リストメタデータで記述された条件を満たさなかった場合に、満たさなかった必要リストメタデータが付加されている構成部分について、前記視聴者プロファイル、前記グループ化メタデータ、前記相関メタデータおよび前記時間情報に基づいて、前記視聴能力を満たすと共に、同一のグループ化メタデータが付加されているまたは所定範囲内の相関メタデータが付加されている前記代替提示コンテンツを導出する導出手段と、
前記判定手段で判定した結果、前記視聴環境プロファイルが前記必要リストメタデータを満たさなかった場合に、満たさなかった必要リストメタデータが付加されている構成部分について、前記視聴者プロファイルおよび前記視聴環境プロファイルに基づいて、前記同一のグループ化メタデータが付加されているまたは所定範囲内の相関メタデータが付加されている代替提示コンテンツを、前記変換装置で出力可能で且つ前記視聴能力を満たして前記視聴者に伝達可能な変換部分に変換する変換手段と、
この変換手段で変換した変換部分と、前記導出手段で導出された代替提示コンテンツと、前記コンテンツの構成部分とを再構成する再構成手段と、
この再構成手段で再構成された再構成コンテンツを、前記提示装置に出力する出力手段と、
を備えることを特徴とするコンテンツ出力装置。
【請求項３】
請求項１または２に記載のコンテンツ出力装置に、コンテンツと、このコンテンツの代わりに提示する代替提示コンテンツと、前記コンテンツの分割箇所を示す分割メタデータと、この分割メタデータに従って前記コンテンツおよび前記代替提示コンテンツを分割した構成部分ごとおよび前記代替提示コンテンツに受信側で必要となる提示装置および当該装置の機能並びに受信側の視聴者に必要となる視聴能力を定義した必要リストメタデータと、前記コンテンツの前記構成部分および前記代替提示コンテンツをグループ化するためのグループ化メタデータと、このグループ化メタデータの相関を予め設定した基準に従って付した前記構成部分ごとおよび前記代替提示コンテンツの相関メタデータと、前記コンテンツの経過時間に対応させて付した時間情報とを送信する送信手段を備えることを特徴とするコンテンツ送信装置。
【発明の詳細な説明】
【技術分野】
【０００１】
本発明は、コンテンツを制作した制作者の意図を反映させて受信側で出力する当該コンテンツを送信するコンテンツ送信装置および当該コンテンツを出力するコンテンツ出力装置に関する。
【背景技術】
【０００２】
従来、視聴者の個人情報であるユーザプロファイルを参照して、受信したコンテンツを当該視聴者に視聴可能な状態で提示する提示内容選択手法がある。例えば、視聴者が聴覚障害者であった場合、コンテンツの音声の代わりに、この音声を視認できる字幕として提示したり、視聴者が視覚障害者であった場合、コンテンツの映像を解説する解説音声を出力したりする。
【０００３】
或いは、視聴者が健常者であった場合でも、状況によっては、コンテンツの音声を出せない場合、コンテンツの音声が聞き取れない場合またはコンテンツの映像が見られない場合が想定され、そういった場合に、字幕や解説音声といったように、コンテンツの提示を変更する必要が生じる。つまり、様々な障害（人的な障害、環境による障害）等によって、コンテンツの視聴者が当該コンテンツの制作者の意図を十分に理解することができない場合に、代替の手段による伝達方法として、字幕や解説音声があった（例えば、特許文献１参照）。
【０００４】
この特許文献１に開示されている伝達方法は、色々な視聴者向けの字幕をコンテンツに多重化し、当該視聴者の好み（状況）に応じて表示可能にしたものであるが、例えば、視聴者の個人情報である視聴者プロファイルに応じて、当該字幕が表示されるものではなく、視聴者が選択しなければならなかった。
【特許文献１】特開平１０−２０８４４６号公報
【発明の開示】
【発明が解決しようとする課題】
【０００５】
しかしながら、従来の提示内容選択手法では、ユーザプロファイルから導き出される条件と、コンテンツの提示の仕方や提示内容とが１対１に固定して取り扱われていたので、コンテンツ制作者の意図した内容が十分に伝わる状況にも拘わらず、余計な代替の提示が行われたり、その逆に内容が伝わらない状況にも拘わらず、代替の提示が行われなかったりする場合が生じてしまうという問題がある。また、コンテンツを送信する送信側が望む提示の仕方と、コンテンツを受信する受信側が望む提示の仕方とがかみ合わない場合が生じてしまうという問題がある。さらに、従来の提示内容選択手法では、視聴者個人個人の身体的な能力や、状況に対応したコンテンツの多種多様の提示仕方が選択できなかったという問題がある。
【０００６】
また、コンテンツを送信する送信側において、統一的に記述されたコンテンツのメタデータと、コンテンツを受信する受信側において、統一的に記述されたユーザプロファイルとを元に、個々の視聴者に対応する代替提示を行うための一般的な仕組みが望まれていた。つまり、ユーザプロファイルの構成要素と、コンテンツのメタデータの表現手法とは、今後も新たなものが表れることが想定されるにも拘わらず、従来の提示内容選択手法や、既存の代替提示を行うためのシステムでは対応できないからである。
【０００７】
具体的に述べると、提示内容選択手法や、既存の代替提示を行うためのシステムでは、コンテンツの音声の代替提示として、字幕を提示させることとなっているが、コンテンツのメタデータには、「字幕が音声の代替提示手段である」といった意味的な記述が含まれていない。また、同様に、コンテンツのメタデータには、「解説音声が映像の代替提示手段である」といった意味的な記述が含まれていない。
【０００８】
このため、場合によっては、「意味的な記述」、すなわち、コンテンツを制作した制作者側の意図が受信側で反映されない場合が生じる。現在のところ、提示内容選択手法や既存の代替提示を行うためのシステムにおける代替提示手段は、コンテンツの送信側と、コンテンツの受信側とが暗黙のうちに共有しているだけであり、コンテンツを制作した制作者側（送信側）の意図を反映させた上で、提示側（受信側）で導出されたものではない。
【０００９】
この結果、コンテンツの送信に関して新しいサービス、例えば、弱視者向けに表示画面上の文字を通常よりも大きくする拡大提示サービスを実現しようとした場合、既存の代替提示を行うためのシステムでは、コンテンツの送信側で「弱視者（視聴者）が判別できない小さな文字が表示画面上に表示されているときには、当該小さな文字を拡大して（拡大文字に置き換えて）表示する」といった記述をしても、コンテンツの受信側では、導出できるようにすることができない。
【００１０】
つまり、コンテンツの受信側では「意味的な記述」である「字幕の文字が小さくて読めない場合、大きな文字にする」と解釈することができない。このように、新しいサービスを実現しようとした場合、コンテンツを制作した制作者側（送信側）と、提示側（受信側）との双方で新たなシステム（ここでは、解釈の仕方を更新したもの）を導入しなければならないということになる。
【００１１】
そこで、本発明では、前記した問題を解決し、視聴者個人個人の身体的な能力や、状況に対応したコンテンツの多種多様の提示仕方を選択して行うことができるコンテンツ送信装置およびコンテンツ出力装置を提供することを目的とする。
【課題を解決するための手段】
【００１２】
前記課題を解決するため、請求項１に記載のコンテンツ出力装置は、コンテンツと、このコンテンツの代わりに提示する代替提示コンテンツと、前記コンテンツの分割箇所を示す分割メタデータと、この分割メタデータに従って前記コンテンツおよび前記代替提示コンテンツを分割した構成部分ごとおよび前記代替提示コンテンツに受信側で必要となる提示装置および当該装置の機能並びに受信側の視聴者に必要となる視聴能力を定義した必要リストメタデータと、前記コンテンツの前記構成部分および前記代替提示コンテンツをグループ化するためのグループ化メタデータと、このグループ化メタデータの相関を予め設定した基準に従って付した前記構成部分ごとおよび前記代替提示コンテンツの相関メタデータと、前記コンテンツの経過時間に対応させて付した前記代替提示コンテンツの時間情報とを受信して、前記提示装置に前記コンテンツまたは前記代替提示コンテンツを出力するコンテンツ出力装置であって、プロファイル蓄積手段と、判定手段と、導出手段と、再構成手段と、出力手段と、を備える構成とした。
【００１３】
かかる構成によれば、コンテンツ出力装置は、受信手段によって、コンテンツ、代替提示コンテンツ、分割メタデータ、必要リストメタデータ、グループ化メタデータ、相関メタデータおよび時間情報を受信する。また、コンテンツ出力装置は、プロファイル蓄積手段に、コンテンツまたは代替提示コンテンツを視聴する視聴者の視聴能力を定義した視聴者プロファイルと、コンテンツまたは代替提示コンテンツを提示可能な提示装置および当該装置の機能について記述した視聴環境プロファイルとを蓄積している。なお、視聴者の視聴能力とは、視覚聴覚等の身体的能力、一般教養や雑学等の知識、日本語以外の語を理解する理解力、笑いやすいや泣きやすい等のコンテンツを視聴した際の感性を含むものである。
【００１４】
そして、コンテンツ出力装置は、判定手段によって、必要リストメタデータと、プロファイル蓄積手段に蓄積されている視聴者プロファイルおよび視聴環境プロファイルとを比較して、分割メタデータに従ってコンテンツが分割された構成部分ごとに、視聴者プロファイルおよび視聴環境プロファイルが必要リストメタデータで記述された条件を満たすか否かを判定する。さらに、コンテンツ出力装置は、導出手段によって、判定手段で判定した結果、視聴者プロファイルおよび視聴環境プロファイルが必要リストメタデータで記述された条件を満たさなかった場合に、満たさなかった必要リストメタデータが付加されている構成部分について、視聴者プロファイル、視聴環境プロファイル、グループ化メタデータ、相関メタデータおよび時間情報に基づいて、視聴能力を満たすと共に、同一のグループ化メタデータが付加されているまたは所定範囲内の相関メタデータが付加されている代替提示コンテンツを導出する。
【００１５】
コンテンツ出力装置は、再構成手段によって、導出手段で導出された代替提示コンテンツと、コンテンツの構成部分とを再構成し、出力手段によって、再構成手段で再構成された再構成コンテンツを、提示装置に出力する。
【００１６】
請求項２に記載のコンテンツ出力装置は、コンテンツと、このコンテンツの代わりに提示する代替提示コンテンツと、前記コンテンツの分割箇所を示す分割メタデータと、この分割メタデータに従って前記コンテンツを分割した構成部分ごとおよび前記代替提示コンテンツに受信側で必要となる提示装置および当該装置の機能並びに受信側の視聴者に必要となる視聴能力を定義した必要リストメタデータと、前記コンテンツの前記構成部分および前記代替提示コンテンツをグループ化するためのグループ化メタデータと、このグループ化メタデータの相関を予め設定した基準に従って付した前記構成部分ごとおよび前記代替提示コンテンツの相関メタデータと、前記コンテンツの経過時間に対応させて付した前記代替提示コンテンツの時間情報とを受信して、前記提示装置に前記コンテンツまたは前記代替提示コンテンツを出力するコンテンツ出力装置であって、受信手段と、プロファイル蓄積手段と、判定手段と、導出手段と、変換手段と、再構成手段と、出力手段と、を備える構成とした。
【００１７】
かかる構成によれば、コンテンツ出力装置は、受信手段によって、コンテンツ、代替提示コンテンツ、分割メタデータ、必要リストメタデータ、グループ化メタデータ、相関メタデータおよび時間情報を受信する。また、コンテンツ出力装置は、プロファイル蓄積手段に、コンテンツまたは代替提示コンテンツを視聴する視聴者の視聴能力を定義した視聴者プロファイルと、コンテンツまたは代替提示コンテンツを提示可能な提示装置および当該装置の機能並びに変換可能な変換装置について記述した視聴環境プロファイルとを蓄積している。
【００１８】
そして、コンテンツ出力装置は、判定手段によって、必要リストメタデータと、プロファイル蓄積手段に蓄積されている視聴者プロファイルおよび視聴環境プロファイルとを比較して、分割メタデータに従ってコンテンツが分割された構成部分ごとに、視聴者プロファイルおよび視聴環境プロファイルが必要リストメタデータで記述された条件を満たすか否かを判定し、導出手段によって、判定手段で判定した結果、視聴者プロファイルおよび視聴環境プロファイルが必要リストメタデータで記述された条件を満たさなかった場合に、満たさなかった必要リストメタデータが付加されている構成部分について、視聴者プロファイル、視聴環境プロファイル、グループ化メタデータ、相関メタデータおよび時間情報に基づいて、視聴能力を満たすと共に、同一のグループ化メタデータが付加されているまたは所定範囲内の相関メタデータが付加されている代替提示コンテンツを導出する。
【００１９】
そして、コンテンツ出力装置は、変換手段によって、判定手段で判定した結果、視聴環境プロファイルが必要リストメタデータを満たさなかった場合に、満たさなかった必要リストメタデータが付加されている構成部分について、視聴者プロファイルおよび視聴環境プロファイルに基づいて、同一のグループ化メタデータが付加されているまたは所定範囲内の相関メタデータが付加されている代替提示コンテンツを、変換装置で出力可能で且つ視聴能力を満たして視聴者に伝達可能な変換部分に変換する。なお、変換手段は、導出手段により、代替提示コンテンツが導出できない場合に用いてもよいし、代替提示コンテンツが導出できる場合であっても、判定手段で判定した結果によって、すぐに用いてもよい。そして、変換手段は、導出手段で導出された代替提示コンテンツが、付加された必要リストメタデータに、変換手段で変換する必要があると記述されていれば、当該コンテンツの構成部分を変換し、視聴者に伝達可能な変換部分に変換する。そして、コンテンツ出力装置は、再構成手段によって、導出手段で導出された代替提示コンテンツと、変換手段で変換した変換部分と、コンテンツの構成部分とを再構成し、出力手段によって、再構成手段で再構成された再構成コンテンツを、提示装置に出力する。
【００２０】
請求項３に記載のコンテンツ送信装置は、請求項１または２に記載のコンテンツ出力装置に、コンテンツと、このコンテンツの代わりに提示する代替提示コンテンツと、前記コンテンツの分割箇所を示す分割メタデータと、この分割メタデータに従って前記コンテンツを分割した構成部分ごとおよび前記代替提示コンテンツに受信側で必要となる提示装置および当該装置の機能並びに受信側の視聴者に必要となる視聴能力を定義した必要リストメタデータと、前記コンテンツの前記構成部分および前記代替提示コンテンツをグループ化するためのグループ化メタデータと、このグループ化メタデータの相関を予め設定した基準に従って付した前記構成部分ごとおよび前記代替提示コンテンツの相関メタデータと、前記コンテンツの経過時間に対応させて付した時間情報とを送信する送信手段を備える構成とした。
【００２１】
かかる構成によれば、コンテンツ送信装置は、送信手段によって、コンテンツ、代替提示コンテンツ、分割メタデータ、必要リストメタデータ、グループ化メタデータ、相関メタデータおよび時間情報を送信する。なお、ここで送信する際に、これらを多重化して送信してもよいし、受信側で対応関係が識別できる状態で、別々に送信してもよい。
【発明の効果】
【００２２】
請求項１に記載の発明によれば、送信側から送信されたコンテンツ、代替提示コンテンツ、分割メタデータ、必要リストメタデータ、グループ化メタデータ、相関メタデータおよび時間情報と、蓄積しておいた視聴者プロファイルおよび視聴環境プロファイルとを参照して、視聴者個人個人の身体的な能力や、状況に対応した、コンテンツ制作者の意図を可能な限り損なわずに伝達するための提示の仕方を導出して、コンテンツを提示することができる。
【００２３】
請求項２に記載の発明によれば、送信側から送信されたコンテンツ、代替提示コンテンツ、分割メタデータ、必要リストメタデータ、グループ化メタデータ、相関メタデータおよび時間情報と、蓄積しておいた視聴者プロファイルおよび視聴環境プロファイルとを参照して、視聴者個人個人の身体的な能力や、状況に対応した、コンテンツ制作者の意図を可能な限り損なわずに伝達するための提示の仕方を導出して、コンテンツを提示することができ、さらに、場合によっては、コンテンツの構成部分を伝達可能に変換した変換部分を当該コンテンツに付加することができる。
【００２４】
請求項３に記載の発明によれば、コンテンツの構成部分ごとに分割メタデータに従って分割し、分割した構成部分ごとおよび代替提示コンテンツに受信側で必要となる提示装置および当該装置の機能並びに受信側の視聴者に必要となる視聴能力を定義した必要リストメタデータと、コンテンツの構成部分および代替提示コンテンツをグループ化するためのグループ化メタデータと、このグループ化メタデータの相関を予め設定した基準に従って付した構成部分ごとおよび代替提示コンテンツの相関メタデータとを送信することで、受信側では、蓄積されている視聴者プロファイルと視聴環境プロファイルとを参照して、視聴者個人個人の身体的な能力や、状況に対応した、コンテンツ制作者の意図を可能な限り損なわずに伝達するための提示の仕方を導出して、コンテンツを提示することができる。
【発明を実施するための最良の形態】
【００２５】
次に、本発明の実施形態について、適宜、図面を参照しながら詳細に説明する。
図１はコンテンツ送信出力システムのブロック図である。図１に示すように、コンテンツ送信出力システムＳは、送信側において、コンテンツと、このコンテンツの代わりに提示する代替提示コンテンツと、様々なメタデータとを送信することで、受信側において、当該コンテンツおよび当該代替提示コンテンツを制作した制作者の意図を反映させると同時に、受信側の視聴者にあわせたコンテンツの種々の提示形態を実現することができるもので、コンテンツ送信装置１と、コンテンツ出力装置３とを備えている。なお、コンテンツ出力装置３には、コンテンツの映像や音声を出力（提示）する提示装置２が接続されている。
【００２６】
〈コンテンツ送信装置の構成〉
コンテンツ送信装置１は、コンテンツ（本来コンテンツ）と、代替提示コンテンツと、様々メタデータとを送信するもので、入力手段５と、送信手段７とを備えている。
入力手段５は、コンテンツと、代替提示コンテンツと、分割メタデータと、必要リストメタデータと、グループ化メタデータと、相関メタデータと、時間情報とを入力するものである。
【００２７】
コンテンツは、いわゆるマルチメディアコンテンツであり、映像（動画）や音声に加え、テキスト、静止画、効果音、意味情報等の様々なデータから構成されているものである。また、このコンテンツは、分割メタデータで分割される複数の構成部分から成り立っている。
【００２８】
代替提示コンテンツは、コンテンツ（本来コンテンツ）を制作した制作者が本来想定している受信側における提示形態が実現できない場合に、当該コンテンツの代わりに提示するコンテンツである。つまり、受信側において、本来コンテンツがそのままの状態で提示されない場合であっても、制作者の意図を伝えられるようにしたコンテンツである。
【００２９】
例えば、本来コンテンツが映像と音声と字幕とからなる通常のニュース番組であり、受信側の視聴者が聴覚障害者であった場合に、代替提示コンテンツは、音声の代わりになるもので、制作者の意図である「各ニュースの詳細内容を伝える」ことを実現できるように、音声で読み上げられていることを、音声を読み上げているアナウンサーの近くに表示されるテキストデータに置き換えたものとなる。ここで、テキストデータが表示される位置を「アナウンサーの近く」としたのは、本来コンテンツの字幕とは異なり、より視聴者が見やすい位置といった意味合いである。さらに、テキストデータとして表示される代替提示コンテンツは、見やすさ、読みやすさといった観点から、字幕で表示される文字よりも大きな文字で表示されるようにすることが好ましい。
【００３０】
分割メタデータは、コンテンツを構成部分に分割する際の分割箇所を示すメタデータである。具体的には、分割メタデータは、コンテンツの内容により、分割する箇所を、時間的範囲、すなわち、映像コンテンツの画面上の座標や音声コンテンツの周波数帯域によって示したものである。
【００３１】
例えば、コンテンツが野球中継番組である場合に、分割メタデータは、ピッチャーがピッチングしたシーン、バッターがヒッティングしたシーン、出塁したランナーが走塁したシーン等、各シーンの区切りとなる時刻を示したものとなる。
【００３２】
必要リストメタデータは、コンテンツ（本来コンテンツ）を制作した制作者の意図に従って、本来コンテンツが受信側で表示されるように、当該受信側で必要な提示装置およびこの提示装置の機能を列挙し、さらに、受信側の視聴者に必要となる視聴能力を定義したメタデータである。
【００３３】
例えば、必要リストメタデータは、コンテンツの提示が受信側の視聴者の視覚に訴えるものであれば、「映像ディスプレイ、視覚」と、聴覚に訴えるものであれば、「スピーカ、聴覚」と、リストアップしたものとなる。
【００３４】
視聴能力とは、視聴者の身体的能力、知識（知識量）、認識力、理解力、感性等を指し、これらを受信側の装置で処理可能なように、テキストデータ化または数値化したものである。
【００３５】
例えば、必要リストメタデータに「視力」という身体的能力に関するテキストデータがリストアップされている場合、これから導出される条件は「視力のある人だけが、この構成部分に含まれる制作者の意図を理解できる」である。
また、必要リストメタデータに「日本語の聞き取り能力」という理解力に関するテキストデータがリストアップされている場合、これから導出される条件は「日本語の聞き取り能力がある人だけが、この構成部分に含まれる制作者の意図を理解できる」である。
【００３６】
さらに、必要リストメタデータに「○×首相に関する知識」という知識に関するテキストデータがリストアップされている場合、これから導出される条件は「○×首相を知っている人だけが、この構成部分に含まれる制作者の意図を理解できる」である。
さらにまた、数値化されたデータの例として、必要リストメタデータに「視力０．５以上」という身体的能力に関するテキストデータおよび数値化データがリストアップされている場合、これから導出される条件は「視力０．５以上の人だけが、この構成部分に含まれる制作者の意図を理解できる」である。
【００３７】
グループ化メタデータは、コンテンツが分割された構成部分を分類する際に付されるものである。つまり、同じグループに属する構成部分には同一のグループ化メタデータが、違うグループに属する構成部分には異なるグループ化メタデータが付されることになる。なお、この実施の形態では、コンテンツおよび代替提示コンテンツを制作した「制作者の意図」に基づいて、当該コンテンツの構成部分および当該代替提示コンテンツを分類し、当該分類に対応したグループ化メタデータが付されている。
【００３８】
例えば、コンテンツが野球中継番組である場合に、グループ化メタデータは、ピッチャーがピッチングしたシーンであれば、♯Ａ（「視聴者にボールを投げたことを理解させる」という制作者の意図に対応させて付けた記号）、バッターがヒッティングしたシーンであれば、♯Ｂ（「視聴者にボールを打ったことを理解させる」という制作者の意図に対応させて付けた記号）といったものになる。
【００３９】
相関メタデータは、構成部分ごとのグループ化メタデータの相関を、予め設定した基準に従って数値化した、または、ＩＤ化したものである。例えば、構成部分００１と構成部分００２とのグループ化メタデータが♯Ａ（「視聴者にボールを投げたことを理解させる」という制作者の意図に対応させて付けた記号）ということであれば、構成部分００１と構成部分００２との相関メタデータは、グループ化メタデータが同一であるので、高い値、例えば１００（相関度１００％）をとり、構成部分００３のグループ化メタデータが＃Ｂ（「視聴者にボールを打ったことを理解させるという制作者の意図に対応させて付けた記号」）ということであれば、構成部分００１と構成部分００３との相関メタデータは、グループ化メタデータが異なっているので、低い値、例えば、１０（相関度１０％）をとる。
【００４０】
また、グループ化メタデータに相関関係がある場合について説明すると、例えば、コンテンツが野球中継番組であり、コンテンツの構成部分００Ａが実況音声で、グループ化メタデータが＃Ｃ（「視聴者に試合の進行状況を理解させる」という制作者の意図に対応させて付けた記号）で、コンテンツの構成部分００Ｂがアウトカウントとストライク数とボール数とを示すＳＢＯの字幕スーパーであり、グループ化メタデータが♯Ｄ（「視聴者に試合の進行状況を理解させる」という制作者の意図に対応させて付けた記号）で、これらのグループ化メタデータ♯Ｃおよび♯Ｄの相関の相関メタデータが、相関（ＩＤ：♯Ｃ，ＩＤ：＃Ｄ，８０）として付されている場合に、これらグループ化メタデータ♯Ｃおよび♯Ｄのとは相関関係が高い（相関度８０、相似関係にある）となる。なお、この相関関係が高いと、受信側において、コンテンツの該当する構成部分の表示が不可の場合に、代替提示コンテンツとして、選択される優先順位が高くなることになる。
【００４１】
時間情報は、コンテンツの経過時間に対応させて、代替提示コンテンツに付した時間に関する情報であり、実際の時間（実時間）に対して、相対的な時間を示すものである。つまり、コンテンツの時間に関する情報が送信した時刻、すなわち、タイムコード等で一義的に決定されるのに対し、代替提示コンテンツの時間情報は、当該コンテンツを視聴する際（蓄積した後であれば再生する際）にコンテンツの先頭を視聴し始めてから（再生してから）経過した時間に対応するように付されたものである。
【００４２】
送信手段７は、入力手段５に入力されたコンテンツと、代替提示コンテンツと、分割メタデータと、必要リストメタデータと、グループ化メタデータと、相関メタデータと、時間情報とを、コンテンツ出力装置３に送信するものである。
【００４３】
このコンテンツ送信装置１によれば、分割メタデータにより、コンテンツの構成部分ごとに分割し、必要リストメタデータにより、受信側で必要となる提示装置および当該提示装置の機能並びに受信側の視聴者に必要となる視聴能力を定義し、グループ化メタデータにより、構成部分および代替提示コンテンツをグループ化し、相関メタデータにより、これらのグループの相関を数値化しておくことで、受信側では、蓄積されている視聴者プロファイルと視聴環境プロファイルとを参照して、視聴者個人個人の身体的な能力や、状況に対応したコンテンツの多種多様の提示仕方を選択して行うことができる
【００４４】
〈コンテンツ出力装置の構成〉
コンテンツ出力装置３は、コンテンツ送信装置１から送信されたコンテンツと、代替提示コンテンツと、分割メタデータと、必要リストメタデータと、グループ化メタデータと、相関メタデータと、時間情報とを受信して、入力された視聴者プロファイルに応じて、接続される提示装置２に出力するもので、受信手段９と、コンテンツ・メタデータ蓄積手段１１と、プロファイル保持手段１３と、判定手段１５と、導出手段１７と、変換手段１９と、再構成手段２１と、出力手段２３とを備えている。
【００４５】
受信手段９は、コンテンツと、代替提示コンテンツと、分割メタデータと、必要リストメタデータと、グループ化メタデータと、相関メタデータと、時間情報とを受信し、これらを判定手段１５およびコンテンツ・メタデータ蓄積手段１１に出力するものである。なお、コンテンツ出力装置３において、受信手段９で受信したコンテンツと、代替提示コンテンツと、分割メタデータと、必要リストメタデータと、グループ化メタデータと、相関メタデータと、時間情報とを判定手段１５に出力するだけでなく、コンテンツ・メタデータ蓄積手段１１に出力しているのは、リアルタイムでコンテンツまたは代替提示コンテンツを提示する際に、再構成手段２１で当該コンテンツまたは当該代替提示コンテンツを再構成する必要が生じた場合に備えるためである。
【００４６】
コンテンツ・メタデータ蓄積手段１１は、受信手段９で受信されたコンテンツと、代替提示コンテンツと、分割メタデータと、必要リストメタデータと、グループ化メタデータと、相関メタデータと、時間情報とを蓄積するもので、一般的な記録媒体によって構成されている。このコンテンツ・メタデータ蓄積手段１１に蓄積されているコンテンツと、代替提示コンテンツと、分割メタデータと、必要リストメタデータと、グループ化メタデータと、相関メタデータと、時間情報とは、必要に応じて再構成手段２１から読み出される。
【００４７】
プロファイル保持手段１３は、コンテンツ出力装置３を利用する利用者（視聴者）が入力した視聴者プロファイルおよび視聴環境プロファイルを保持（蓄積）するもので、一般的な記録媒体によって構成されている。
視聴者プロファイルは、視聴者の個人情報（性別、年齢、職業、趣味・嗜好等）と、生活スタイル（平日および休日の視聴時間帯、集中度・状況等）と、視聴能力（身体的能力、知識（知識量）、認識力、理解力、感性等）とを定義したものである。なお、この視聴者プロファイルでは、これら個人情報、生活スタイルおよび視聴能力が当該装置３で処理可能なように、テキストデータ化または数値化されている。
【００４８】
個人情報における性別、年齢および職業とは、当該装置３を利用する視聴者が家族単位である場合には、当該家族を構成する視聴者各個人の性別、年齢および職業である。
個人情報における趣味・嗜好とは、映画鑑賞、音楽鑑賞、読書、スポーツ、料理、囲碁将棋、園芸、写真、語学学習、歴史学習といった趣味と、お酒、お茶、コーヒー、たばこといった嗜好（嗜好品）とに関する情報である。
【００４９】
生活スタイルにおける視聴時間帯とは、視聴者がコンテンツを視聴する主な時間帯に関する情報である。例えば、視聴者が学生や勤労者であれば、平日では、起床時間から登校（出勤）時間まで、且つ、帰宅時間から就寝時間までの時間帯の中で、休日では、起床時間から就寝時間までの時間帯の中で、曜日ごとのコンテンツを視聴する時間帯に関する情報である。また、視聴者が専業主婦であれば、起床時間から就寝時間までの時間帯の中で、曜日ごとのコンテンツを視聴する時間帯に関する情報である。
【００５０】
生活スタイルにおける集中度・状況とは、コンテンツを視聴する際の視聴者の集中度合いや、コンテンツを視聴（提示）する際の周囲の状況を示す情報である。例えば、視聴者が集中してコンテンツを視聴する「集中視聴（通常視聴）」、視聴者が何か別のことをしながらコンテンツを視聴する「ながら視聴」、視聴者がコンテンツの映像を見られない状況にある場合の「映像不可視聴」、視聴者がコンテンツの音声を聞き取れない状況にある場合の「音声不可視聴」、視聴者が映像または音声以外の代替え提示を受けられない場合の「代替不可視聴」といったものである。
【００５１】
視聴能力における身体的能力（知覚力）とは、視聴者が健常者である場合を除いて、視聴者に視覚障害や聴覚障害がある場合、コンテンツの通常の視聴が困難であることを示す情報である。
視聴能力における知識（知識量）とは、視聴者の一般的な教養レベルやコンテンツに関係する背景知識を示すものである。例えば、一般的な教養レベルを示すものとして、日本語の語彙に関しては、漢字検定で特定される級が想定される。
【００５２】
視聴能力における認識力とは、視聴者が健常者である場合に、視聴者が日本語以外の言語、例えば、英語やドイツ語を理解できるか否かを示す情報であり、言語聞き取り能力（日本語や英語等）と、言語読み取り能力（日本語や英語等）とがある。
【００５３】
視聴能力における理解力とは、視聴者が健常者である場合に、視聴者がどれだけコンテンツの言語（日本語や英語等）や情景を理解できるか否かを示す情報である。また、視聴者が視覚障害者である場合に、点字が理解できるか否かや、視聴者が聴覚障害者である場合に、手話が理解できるか否かに関する情報である。
【００５４】
視聴能力における感性とは、視聴者の感性を示すもので、感動しやすい、涙もろい、イライラしやすい等を数値化したものである。この数値は、例えば、図示を省略した表示装置に表示される、予め用意しておいたアンケート形式の入力シートに、視聴者が回答した結果に基づいて定められるものである。例えば、「恋愛ドラマで感動できる？」、「悲劇に共感できる？」、「長い解説に耐えられる？」という問いに対して、５段階（１〜５の数値）で自己評価することで得られる。また、この数値は、視聴者が視聴したコンテンツの視聴履歴を参照して、当該視聴履歴に含まれているコンテンツの選択傾向から推量して求める方法が想定される。
【００５５】
すなわち、これらの感性は、コンテンツを視聴する上で視聴者の心理的な傾向を示すものであり、ここで定義される感性によっても、コンテンツの構成部分を、代替提示コンテンツに代えることができる。例えば、恋愛ドラマに感動できないという感性（「恋愛ドラマで感動できる？」という問いに対して回答した数値が低い）を持った視聴者の場合、当該視聴者を感動させるため（無理矢理感動してもらうため）に、より過剰な演出を行った代替提示コンテンツを用意しておいて、該当するコンテンツの構成部分を当該代替提示コンテンツに変更する。また、悲劇に共感できないという感性（「悲劇に共感できる？」という問いに対して回答した数値が低い）を持った視聴者の場合、当該視聴者を共感させるため（無理矢理共感してもらう或いは無理矢理悲しい気持ちになってもらうため）に、より過剰な演出を行った代替提示コンテンツを用意しておいて、該当するコンテンツの構成部分を当該代替提示コンテンツに変更する。さらに、長い解説に耐えられないという感性（「長い解説に耐えられる？」という問いに対して回答した数値が低い）を持った視聴者の場合、当該視聴者が視聴に耐えられるように、より簡素な解説を行った代替提示コンテンツを用意しておいて、該当するコンテンツの構成部分を当該代替提示コンテンツに変更する。
なお、これらの視聴能力における感性は、当該装置３の制御手段（図示せず）によって処理され、プロファイル保持手段１３に事前に保持される。
【００５６】
また、視聴環境プロファイルは、コンテンツまたは代替提示コンテンツを提示可能な提示装置および変換可能な変換装置について記述したものである。
コンテンツまたは代替提示コンテンツを提示可能な提示装置についての記述とは、当該装置３に接続されている提示装置２に関することであり、当該提示装置２の名称、機能、仕様に関する情報である。また、コンテンツまたは代替提示コンテンツを変換可能な変換装置についての記述とは、後記する変換手段１９の機能に関する情報である。
【００５７】
判定手段１５は、受信手段９で受信された必要リストメタデータと、プロファイル保持手段１３に保持されている視聴者プロファイルおよび視聴環境プロファイルとを比較して、視聴者プロファイルおよび視聴環境プロファイルが必要リストメタデータで記述された条件を満たすか否かを判定するものである。この判定手段１５によって、視聴環境プロファイルが必要リストメタデータで記述された条件を満たすと判定された場合、判定手段１５に入力されたコンテンツはそのまま出力手段２３に出力される。
【００５８】
また、この判定手段１５によって、視聴者プロファイルおよび視聴環境プロファイルが必要リストメタデータで記述された条件を満たすと判定されなかった場合、コンテンツ、代替提示コンテンツ、グループ化メタデータおよび相関メタデータを導出手段１７に出力する、または、コンテンツ、代替提示コンテンツ、視聴者プロファイルおよび視聴環境プロファイルを変換手段１９に出力する。
【００５９】
導出手段１７は、視聴者プロファイルおよび視聴環境プロファイルが必要リストメタデータを満たすと判定されなかった場合、コンテンツの構成部分の代わりに、代替提示コンテンツを、グループ化メタデータ、相関メタデータおよび時間情報に基づいて導出するものである。なお、この導出手段１７によって、代替提示コンテンツを導出する導出方法（導出の仕方）の詳細は後記することとする。
【００６０】
変換手段１９は、導出手段１７で導出された代替提示コンテンツの必要リストメタデータに、当該代替提示コンテンツを変換するコンテンツ変換装置がリストアップされている場合に、当該代替提示コンテンツを視聴者に伝達可能な変換部分に変換するものである。なお、この変換手段１９によって、代替提示コンテンツを変換部分に変換する変換方法（変換の仕方）の詳細は後記することとする。
ここでは、導出手段１７と変換手段１９とを併用しているが、少なくとも導出手段１７を備えていればよい。
【００６１】
再構成手段２１は、導出手段１７で導出された代替提示コンテンツ、または変換手段１９で代替提示コンテンツが変換された変換部分と、コンテンツ・メタデータ蓄積手段１１で蓄積しておいたコンテンツとを再構成するものである。
【００６２】
出力手段２３は、再構成手段２１で再構成された再構成コンテンツを提示装置２に出力するものである。
【００６３】
このコンテンツ出力装置３によれば、送信側から送信されたコンテンツ、代替提示コンテンツ、分割メタデータ、必要リストメタデータ、グループ化メタデータ、相関メタデータおよび時間情報を受信手段９で受信し、判定手段１５、導出手段１７によって、プロファイル保持手段１３で保持（蓄積）しておいた視聴者プロファイルおよび視聴環境プロファイルを参照して、視聴者個人個人の身体的な能力や、状況に対応したコンテンツの多種多様の提示仕方を選択して行うことができ、さらに、場合によっては、変換手段１９によって、代替提示コンテンツを伝達可能に変換した変換部分を当該コンテンツに付加することができる。
【００６４】
〈コンテンツ送信装置の動作〉
次に、コンテンツ送信装置１の動作について説明する。
コンテンツ送信装置１は、入力手段５により、コンテンツ（本来コンテンツ）と、分割メタデータと、必要リストメタデータと、グループ化メタデータと、相関メタデータとを入力する。そして、コンテンツ送信装置１は、送信手段７によって入力されたコンテンツ（本来コンテンツ）と、分割メタデータと、必要リストメタデータと、グループ化メタデータと、相関メタデータと、時間情報とを送信する。
【００６５】
〈コンテンツ出力装置の動作〉
次に、図２および図３に示すフローチャートを参照して、コンテンツ出力装置３の動作について説明する（適宜、図１参照）。
まず、コンテンツ出力装置３は、受信手段９によって、コンテンツ、代替提示コンテンツ、分割メタデータ、必要リストメタデータ、グループ化メタデータ、相関メタデータおよび時間情報を受信する（ステップＳ１）。
【００６６】
続いて、コンテンツ出力装置３は、判定手段１５によって、分割メタデータで分割された箇所（構成部分）ごとに、コンテンツの必要リストメタデータで記述された条件を、視聴者プロファイルおよび視聴環境プロファイルが満たしているか否かを判定する（ステップＳ２）。コンテンツ出力装置３は、必要リストメタデータを、視聴者プロファイルおよび視聴環境プロファイルが満たしていると判定した場合（ステップＳ２、Ｙｅｓ）には、代替提示する必要がないとして、コンテンツをそのまま出力手段２３に出力し、提示装置２に提示させる（ステップＳ３）。
【００６７】
また、コンテンツ出力装置３は、必要リストメタデータを、視聴者プロファイルおよび視聴環境プロファイルが満たしていると判定しなかった場合（ステップＳ２、Ｎｏ）には、満たしていない箇所（構成部分）について、コンテンツの構成部分のグループ化メタデータと、同一のグループ化メタデータを持つコンテンツの構成部分があるか否かを判定する（ステップＳ４）。
【００６８】
コンテンツ出力装置３は、コンテンツの構成部分のグループ化メタデータと、同一のグループ化メタデータを持つコンテンツの構成部分があると判定した場合（ステップＳ４、Ｙｅｓ）には、代替提示する必要がないとして、コンテンツをそのまま出力手段２３に出力し、提示装置２に提示させる（ステップＳ３）。コンテンツ出力装置３は、コンテンツの構成部分のグループ化メタデータと、同一のグループ化メタデータをもつコンテンツの構成部分があると判定しなかった場合（ステップＳ４、Ｎｏ）満たしていない箇所について、コンテンツの構成部分の相関メタデータにより相関を持つコンテンツの構成部分があるか否かを判定する（ステップＳ５）。
【００６９】
コンテンツ出力装置３は、コンテンツの構成部分の相関メタデータにより相関を持つコンテンツの構成部分があると判定した場合（ステップＳ５、Ｙｅｓ）には、代替提示する必要がないとして、コンテンツをそのまま出力手段２３に出力し、提示装置２に提示させる（ステップＳ３）。コンテンツ出力装置３は、コンテンツの構成部分の相関メタデータにより相関を持つコンテンツの構成部分があると判定しなかった場合（ステップＳ５、Ｎｏ）には、満たしていない箇所について、代替提示コンテンツのグループ化メタデータと、同一のグループメタデータを持つ代替提示コンテンツがあるか否かを判定する（ステップＳ６）。
【００７０】
そして、コンテンツ出力装置３は、コンテンツの構成部分のグループ化メタデータと、同一のグループメタデータを持つ代替提示コンテンツがあると判定した場合（ステップＳ６、Ｙｅｓ）には、判定手段１６によって、代替提示コンテンツの必要リストメタデータを、視聴者プロファイルおよび視聴環境プロファイルが満たしているか否かを判定する（ステップＳ７）。そして、コンテンツ出力装置３は、代替提示コンテンツの必要リストメタデータを視聴者プロファイルおよび視聴環境プロファイルが満たしていると判定した場合（ステップＳ７、Ｙｅｓ）には、導出手段１７によって、代替提示を実行する（ステップＳ８）。
【００７１】
また、コンテンツ出力装置３は、コンテンツの構成部分のグループ化メタデータと、同一のグループメタデータを持つ代替提示コンテンツがあると判定しなかった場合（ステップＳ６、Ｎｏ）並びに代替提示コンテンツの必要リストメタデータを視聴者プロファイルおよび視聴環境プロファイルが満たしていると判定しなかった場合（ステップＳ７、Ｎｏ）には、満たしていない箇所について、「包含される」相関を持つ代替提示コンテンツがあるか否かを判定する（ステップＳ９）。
【００７２】
また、コンテンツ出力装置３は、「包含される」相関を持つ代替提示コンテンツがあると判定されなかった場合（ステップＳ９、Ｎｏ）、満たしていない箇所について、「相似度」の相関を持つ代替提示コンテンツがあるか否かを判定する（ステップＳ１０）。
なお、コンテンツ出力装置３は、ステップＳ９にて、「包含される」相関を持つ代替提示コンテンツがあると判定された場合（ステップＳ９、Ｙｅｓ）には、判定手段１５によって、代替提示コンテンツの必要リストメタデータを、視聴者プロファイルおよび視聴環境プロファイルが満たしているか否かを判定し（ステップＳ１１）、満たしていれば（ステップＳ１１、Ｙｅｓ）ステップＳ８に進み、満たしていなければ（ステップＳ１１、Ｎｏ）、ステップＳ１０に進む。
【００７３】
また、コンテンツ出力装置３は、ステップ１０にて、「相似度」の相関を持つ代替提示コンテンツがあると判定された場合（ステップＳ１０、Ｙｅｓ）には、判定手段１５によって、代替提示コンテンツの必要リストメタデータを、視聴者プロファイルおよび視聴環境プロファイルが満たしているか否かを判定し（ステップＳ１２）、満たしていれば（ステップＳ１２、Ｙｅｓ）ステップＳ８に進み、満たしていなければ（ステップＳ１２、Ｎｏ）、ステップＳ１０に戻る。
【００７４】
そして、コンテンツ出力装置３は、「相似度」の相関を持つ代替提示コンテンツがあると判定されなかった（ステップＳ１０、Ｎｏ）には、代替提示不可能として、コンテンツをそのまま出力手段２３に出力し、提示装置２に提示させる（ステップＳ１３）。
【００７５】
〈視聴者プロファイルおよび視聴環境プロファイルの具体例〉
次に、図４を参照して、視聴者プロファイルおよび視聴環境プロファイルに含まれる情報（項目）の具体例について説明する。
図４に示したように、視聴者プロファイルには、知覚力と認識力と理解力とが定義されており、知覚力として、視覚、聴覚および触覚が定義されており、認識力として、言語聞き取り（日本語）および言語読み取り（日本語、英語）が定義されており、理解力として、言語理解（日本語、英語）および情景理解（ある映像や音声を受容したときに特定の状況等を想起する能力。例えば、「風鈴の映像」と「セミの鳴き声」とから構成されるシーンを受容したときに、「田舎の夏」を想起する能力）が定義されている。
【００７６】
また、視聴環境プロファイルには、変換生成装置（変換手段１９）と提示装置（コンテンツ出力装置３に接続される提示装置２）との名称が記述されており、変換生成装置として、テキスト文音声合成装置、字幕スーパー装置およびテキスト文点字化装置が含まれており、提示装置として、映像ディスプレイ、スピーカ、点字ディスプレイおよび触覚ピンディスプレイが含まれている。
【００７７】
このような情報を含んだ、視聴者プロファイルおよび視聴環境プロファイルをプロファイル保持手段１３に保持しておくことで、コンテンツ出力装置３は、視聴者の視聴能力および視聴環境に対応したコンテンツの提示を実現することができる。
【００７８】
〈導出手段、変換手段による代替え提示の具体例〉
次に、図５〜図８（具体例１：ニュース番組）および図９〜図１３（具体例２：野球中継番組）を参照して、コンテンツ出力装置３における代替え提示の具体例について説明する。
図５は、映像ディスプレイに表示されているニュース番組の１シーンで、キャスターが原稿を読んでいるシーンを示したものである。図６は、図５に示したシーンに、代替え提示がなされた結果（代替提示コンテンツが付加された結果）を示したものである。図７は、図５に示したシーンに相当するコンテンツの構成部分および代替提示コンテンツと、付加されているメタデータ（多重されていないものも含む）とついて説明したものである。図８は、図７に示したメタデータが付加されるコンテンツの構成部分を定義する分割メタデータの例を示したものである。
【００７９】
これら図５および図６に示したように、ニュース番組において、キャスターが読み上げている音声「昨日の・・・について、・・・・・・であることがわかりました。」（図５参照）を、視聴者が理解できない場合（視聴者が聴覚障害者であり、視聴者プロファイルの視聴能力の聴覚がＮＧ）、または、音声提示が困難な状況にある場合（音声提示がＮＧ）である場合に、当該音声をテキストデータとして、映像ディスプレイの画面上のキャスターの近くに表示させている（図６参照）。
【００８０】
このような代替え提示を行うために、図７に示したコンテンツの構成部分および代替提示コンテンツとメタデータとが定義されており、この図７では、「コンテンツの構成部分および代替提示コンテンツの名称」（メタデータとして多重化されていない）と、コンテンツの構成部分か代替提示コンテンツかを示す「本来ｏｒ代替」と、コンテンツの構成部分か代替提示コンテンツについて、制作者が制作時にグループ化を行う際に考慮した意図である「この構成部分の持つ意図」と、「グループ化メタデータ」と、「必要リストメタデータ」との関係が定義されている。
【００８１】
この図７において、「コンテンツの構成部分および代替提示コンテンツの名称」が“アナ音声”は、コンテンツ（本来コンテンツ）の構成部分を示しており、このコンテンツの構成部分の「この構成部分の持つ意図」が“あるニュースに関する詳細内容を理解させる”であり、「グループ化メタデータ」として“＃Ａ”が定義されており、さらに、「必要リストメタデータ」（どの手段によって伝えられるか）として“スピーカ”が定義されている。
【００８２】
また、この図７において、例えば、「コンテンツの構成部分および代替提示コンテンツの名称」が“原稿文テキストデータ（代替用時系列テキスト）”は、代替提示コンテンツを示しており、この代替提示コンテンツの「この構成部分の持つ意図」が“あるニュースに関する詳細内容を理解させる”であり、「グループ化メタデータ」として“＃Ａ”が定義されており、さらに、「必要リストメタデータ」として、“時系列テキスト提示装置”、“日英翻訳装置”、“音声合成装置”、“スピーカ”が定義されている。なお、この「必要リストメタデータ」の一段目に記載してある“時系列テキスト提示装置”が提示装置を示しており、二段目および三段目に記載してある“日英翻訳装置”、“音声合成装置”が変換装置を示している。
【００８３】
すなわち、この代替提示コンテンツの“原稿文データ（代替用時系列テキスト）”では、必要リストメタデータの中に、３つの提示手法（提示の仕方）が定義されており、視聴者プロファイルおよび視聴環境プロファイルを参照した結果、必要リストメタデータの中で「時系列テキスト提示装置」が選択される場合には、導出手段１７によって、コンテンツの構成部分の代わりに代替提示コンテンツが導出され、さらに、変換手段１９に相当する日英翻訳装置や音声合成装置によって変換された上で提示されることになる。
【００８４】
また、図８はコンテンツを構成部分に分割する分割メタデータの定義であり、例えば、図７に示した“アナ音声”の構成部分は時間位置として、開始時刻Ｘ〜終了時刻Ｙの間に、空間位置として、オーディオｃｈＡ、周波数帯域ＢＢ〜ＣＣの領域に付加されることとなる。また、例えば、“項目スーパー”の構成部分は、時間位置として、開始時刻Ｘ〜終了時刻Ｙの間に、空間位置として、ビデオ（映像上）の座標範囲ＤＤ〜ＥＥに付加されることとなる。
【００８５】
次に、図９〜図１３（具体例２：野球中継番組）を参照して、コンテンツ出力装置３における代替え提示の具体例について説明する。
図９は、野球中継番組において、通常の提示を行う場合と、音を聞けない人または聞いていない人向けの提示を行う場合と、字幕ディスプレイで見ている人向きの提示を行う場合とについて、時間経過に伴う制作者の意図と、映像、音声および字幕との関係について示した図である。図１０は、野球中継番組を表示する際に、視聴者（ここでは、視聴者Ａ、視聴者Ｂ）に応じて、提示の仕方を変更した例を示した図である。図１１は、野球中継番組のあるシーンに付加されているメタデータを一覧表にしたものである。図１２は、図１１に示したメタデータに従って、野球中継番組の代替え提示（表示画面が見られない場合、音声のみ）が行われた例について示した図である。図１３は、図１１に示したメタデータに従って、野球中継番組の代替え提示（表示画面が見られるが、ボールが判別できない程度に当該表示画面が小さい場合、音声のみ）が行われた例について示した図である。
【００８６】
図９に示したように、野球中継番組において、通常の提示を行う場合、映像と音声とが提示されることで、制作者の意図が伝えられ、音声内容を文字化した字幕は提示されない。なお、映像（中継映像）が表現している意図（制作者の意図）は「試合内容を伝える」ことであり、音声が表現している意図のうち、実況部分については「試合内容を伝える」ことであり、解説部分については「試合に関する解説を伝える」ことである。
【００８７】
また、野球中継番組において、音を聞けない人または聞いていない人向けの提示を行う場合、映像と音声とが提示され、映像については制作者の意図が伝えられるが、音声については認識されない。また、音声内容を文字化した字幕については、実況部分については提示されず、解説部分には提示され、制作者の意図が伝えられる。
【００８８】
さらに、野球中継番組において、字幕ディスプレイで見ている人向きの提示を行う場合、映像と音声とは共に提示されない。また、音声内容を文字化した字幕については、全て提示され、制作者の意図が伝えられる。
【００８９】
ここで、コンテンツ出力装置３における代替え提示と、従来の提示手法とを比較すると、従来の提示手法では、表示画面を見れば分かること、例えば、音声の実況部分についても音声内容を文字化した字幕を表示しようとして煩雑になるか、逆に、音声の解説部分だけを字幕で表示されるように送信しておくと、当該字幕だけを見ている人には、試合内容が伝わらないということが生じていた。そこで、このコンテンツ出力装置３における代替え提示では、コンテンツ送信装置１にて、構成部分ごとにグループ化メタデータおよび必要リストメタデータを付随させておいて、映像からなる構成部分と同じ意図を持つ（つまり、同じグループ化メタデータを持つ）音声からなる構成部分については、認識されなくても代替え提示を行わないように、当該装置３が判定することで、様々な視聴状況において視聴者に応じた提示を行うことができる。
【００９０】
図１０に示したように、野球中継番組において、ピッチャーがボールを投げるシーンの映像の一部（領域が座標指定されている箇所）で、制作者の意図が「ＳＢＯ状況を伝える」である場合に、同じ意図を持つ代替提示コンテンツ（ＳＢＯ状況を示した拡大可能なデータ）を用意しておく。なお、ここで領域とは、ＳＢＯが表示されている領域を囲む座標である。そして、コンテンツ出力装置３における代替提示において、視聴者Ａには、本来コンテンツに含まれるＳＢＯが常に表示されているため代替用テキストデータを提示せず、視聴者Ｂには、必要なときに代替用テキストデータを提示している。
【００９１】
すなわち、本来映像（本来コンテンツ）中において、本来映像を拡大した結果、制作者の意図である「ＳＢＯ状況を伝える」部分が表示画面に収まりきらずに表示されないので、代替用テキストデータをスーパーする。また、本来映像（本来コンテンツ）中において、本来映像を拡大した結果、制作者の意図である「ＳＢＯ状況を伝える」部分が、表示画面に収まっている場合には、代替用テキストデータをスーパーしない。
【００９２】
また、図１１に示したように、シーンに相当するコンテンツの構成部分および代替提示コンテンツと、付加されているメタデータ（多重されていないものも含む）とが定義されていることで、図１２また図１３に示した代替え提示が可能になっている。
つまり、図１２では、野球中継番組において、視聴者が表示画面を見られない際の代替え提示を実現した場合を示しており、図１３では、野球中継番組において、視聴者がバッターの状態やボールカウントを判別できない程、表示画面が小さい際の代替え提示を実現した場合を示している。
【００９３】
具体的に説明すると、図１１において、本来コンテンツの映像ディスプレイによる提示に関する構成部分（付加させる元）である「中継映像」（グループ化メタデータ＃Ａ）、「中継映像ピッチング」（グループ化メタデータ＃Ｂ）、「中継映像ヒッティング」（グループ化メタデータ＃Ｃ、＃Ｄ）、「中継映像ランナー１塁へ」（グループ化メタデータ＃Ｅ）、「ＳＢＯスーパー」（グループ化メタデータ＃Ｆ）が映像ディスプレイを提示装置２として必要とし、表示画面に表示されるものであるので、提示不可となる。
【００９４】
そして、これらの構成部分と同じ相関メタデータを持つ構成部分である「球場ＳＥ」（グループ化メタデータ＃Ａ、＃Ｃ）、「実況音声「さぁカウントはツースリー」」（グループ化メタデータ＃Ｇ）、「実況音声「投げた」」（グループ化メタデータ＃Ｂ）、「実況音声「打ちました！」」（グループ化メタデータ＃Ｃ）、「実況音声「レフト前ヒット」」（グループ化メタデータ＃Ｄ、＃Ｅ）がスピーカを提示装置２として必要とし、音声で出力されるものである。この中で、「球場ＳＥ」（グループ化メタデータ＃Ａ、＃Ｃ）は本来コンテンツであるので、代替え提示が必要となる構成部分は、「中継映像ピッチング」（グループ化メタデータ＃Ｂ）、「中継映像ヒッティング」（グループ化メタデータ＃Ｄ）、「中継映像ランナー１塁へ」（グループ化メタデータ＃Ｅ）である。
【００９５】
これら代替え提示が必要な構成部分の中で、グループ化メタデータが＃Ｂ、＃Ｄ、＃Ｅのものについては、代替提示コンテンツである実況音声「投げた」、「打ちました」、「レフト前ヒット」があり、それぞれのグループ化メタデータが「投げたことを理解させる」（＃Ｂ）、「打球の方向を理解させる」（♯Ｄ）、「シングヒットであることを理解させる」（＃Ｅ）であるので、代替え提示が行える。
【００９６】
つまり、本来コンテンツの構成部分「中継映像ピッチング」（グループ化メタデータ＃Ｂ）は、代替提示コンテンツの構成部分「実況音声「投げた」」（グループ化メタデータ＃Ｂ）に、本来コンテンツの構成部分「中継映像ヒッティング」（グループ化メタデータ＃Ｄ）は、代替提示コンテンツの構成部分「実況音声「レフト前ヒット」」（グループ化メタデータ＃Ｄ）に、本来コンテンツの構成部分「中継映像ランナー１塁へ」（グループ化メタデータ＃Ｅ）は、代替提示コンテンツの構成部分「実況音声「レフト前ヒット」」（グループ化メタデータ＃Ｅ）に代替え提示されることとなる。
【００９７】
また、代替え提示が必要な構成部分の中で、本来コンテンツの構成部分「ＳＢＯスーパー」（グループ化メタデータ＃Ｆ）については、図１０に示したように代替え提示が行えるが、ここでは、図１２に示したように、視聴者が表示画面を見られない状況にあるので、グループ化メタデータ＃Ｆと相関のあるグループ化メタデータ＃Ｇの代替提示コンテンツである「実況音声「さぁカウントはツースリー」」による代替え提示が行われることとなる。
【００９８】
また、図１３に示した、野球中継番組において、視聴者がバッターの状態やボールカウントを判別できない程、表示画面が小さい際の代替え提示では、図１１において、本来コンテンツの映像ディスプレイによる提示に関する構成部分（付加させる元）である「中継映像ヒッティング」（グループ化メタデータ＃Ｃ、＃Ｄ）、「中継映像ランナー１塁へ」（グループ化メタデータ＃Ｅ）、「ＳＢＯスーパー」（グループ化メタデータ＃Ｆ）が映像ディスプレイを提示装置２として必要とし、表示画面に表示されるものであるので、提示不可となる。
【００９９】
そして、これらの構成部分と同じ相関メタデータを持つ構成部分である「球場ＳＥ」（グループ化メタデータ＃Ａ、＃Ｃ）、「実況音声「さぁカウントはツースリー」」（グループ化メタデータ＃Ｇ）、「実況音声「投げた」」（グループ化メタデータ＃Ｂ）、「実況音声「打ちました！」」（グループ化メタデータ＃Ｃ）、「実況音声「レフト前ヒット」」（グループ化メタデータ＃Ｄ、＃Ｅ）がスピーカを提示装置２として必要とし、音声で出力されるものである。この中で、「球場ＳＥ」（グループ化メタデータ＃Ａ、＃Ｃ）は本来コンテンツであるので、代替え提示が必要となる構成部分は、「中継映像ヒッティング」（グループ化メタデータ＃Ｄ）、「中継映像ランナー１塁へ」（グループ化メタデータ＃Ｅ）、「ＳＢＯスーパー」（グループ化メタデータ＃Ｆ）である。
【０１００】
そこで、本来コンテンツの構成部分「中継映像ヒッティング」（グループ化メタデータ＃Ｄ）は、代替提示コンテンツの構成部分「実況音声「レフト前ヒット」」（グループ化メタデータ＃Ｄ）に、本来コンテンツの構成部分「中継映像ランナー１塁へ」（グループ化メタデータ＃Ｅ）は、代替提示コンテンツの構成部分「実況音声「レフト前ヒット」」（グループ化メタデータ＃Ｅ）に代替え提示されることとなる。
【０１０１】
以上、本発明の実施形態について説明したが、本発明は前記実施形態には限定されない。例えば、本実施形態では、コンテンツ送信装置１、コンテンツ出力装置３として構成したが、これらの構成の処理を実現可能に、汎用的または特殊なコンピュータ言語で記述したコンテンツ送信プログラム、コンテンツ受信プログラムとして構成することも可能である。これらの場合、コンテンツ送信装置１、コンテンツ出力装置３と同様の効果を得ることができる。
【図面の簡単な説明】
【０１０２】
【図１】本発明の実施形態に係るコンテンツ送信出力システムのブロック図である。
【図２】図１に示したコンテンツ出力装置の動作を説明するためのフローチャートである（前半）。
【図３】図１に示したコンテンツ出力装置の動作を説明するためのフローチャートである（後半）。
【図４】視聴者プロファイルと視聴環境プロファイルとの具体例を示した図である。
【図５】代替え提示の具体例（具体例１：ニュース番組）を説明するための図である。
【図６】代替え提示の具体例（具体例１：ニュース番組）を説明するための図である。
【図７】代替え提示の具体例（具体例１：ニュース番組）を説明するための図である。
【図８】代替え提示の具体例（具体例１：ニュース番組）を説明するための図である。
【図９】代替え提示の具体例（具体例２：野球中継番組）を説明するための図である。
【図１０】代替え提示の具体例（具体例２：野球中継番組）を説明するための図である。
【図１１】代替え提示の具体例（具体例２：野球中継番組）を説明するための図である。
【図１２】代替え提示の具体例（具体例２：野球中継番組）を説明するための図である。
【図１３】代替え提示の具体例（具体例２：野球中継番組）を説明するための図である。
【符号の説明】
【０１０３】
１      コンテンツ送信装置
２      提示装置
３      コンテンツ出力装置
５      入力手段
７      送信手段
９      受信手段
１１    コンテンツ・メタデータ蓄積手段
１３    プロファイル保持手段
１５    判定手段
１７    導出手段
１９    変換手段
２１    再構成手段
２３    出力手段
【図１】
0004580345.tif 000002
【図２】
0004580345.tif 000003
【図３】
0004580345.tif 000004
【図４】
0004580345.tif 000005
【図５】
0004580345.tif 000006
【図６】
0004580345.tif 000007
【図７】
0004580345.tif 000008
【図８】
0004580345.tif 000009
【図９】
0004580345.tif 000010
【図１０】
0004580345.tif 000011
【図１１】
0004580345.tif 000012
【図１２】
0004580345.tif 000013
【図１３】
0004580345.tif 000014